(57)【要約】【課題】  床下空間から床板の上部に立ち上げた通水管が挿通された鞘管を保持する配管固定具において、鞘管の保持とシールとを少ない部品点数で確実に行い、施工性及び信頼性の高い配管固定具を提供する。【解決手段】  床板１の貫通孔２の下部から上部に立ち上げた鞘管３は、凹部３ｂと凸部３ｃとが交互に形成された蛇腹状で、該鞘管３を保持可能な配管固定具Ａは、床板１の貫通孔２に固定され収容室１７が形成された固定部材１０と、該固定部材１０の収容室１７に収容され且つ前記鞘管３を挿通する挿通孔２１が形成された支持部材２０と、該支持部材２０に装着され鞘管３を挿通する挿通孔３１が形成されたシール部材３０と、固定部材１０に装着され支持部材２０及びシール部材３０を収容室１７に固定するための保護部材４０とを有し、前記シール部材３０は鞘管３の移動を止めたときに、鞘管３の凹部３ｂに係止し、且つ密着するようにした。【選択図】  図３
2006307962.tif 000002
【特許請求の範囲】
【請求項１】
床板に穿設された貫通孔に下部から挿通させて上部に立ち上げた鞘管は、外周面に凹部と凸部とが交互に形成された蛇腹状で、該鞘管を保持可能な配管固定具は、床板の貫通孔に固定され収容室が形成された固定部材と、該固定部材の収容室に収容され且つ通水管が挿通された前記鞘管を挿通する挿通孔が形成された支持部材と、該支持部材の上部または下部に装着され鞘管を挿通する挿通孔が形成されたシール部材と、固定部材に装着され支持部材及びシール部材を収容室に固定するための保護部材とを有し、前記シール部材は鞘管の移動を止めたときに鞘管の凹部に係止し、且つ密着するようにしたことを特徴とする配管固定具。
【請求項２】
前記支持部材にはシール部材と向かい合う位置に逃がし部を形成したことを特徴とする請求項１記載の配管固定具。
【発明の詳細な説明】
【技術分野】
【０００１】
本発明は、床下空間から床板の貫通孔に挿通させて床板の上部に立ち上げた通水管が挿通された鞘管を保持する配管固定具に関するものである。
【背景技術】
【０００２】
一般に集合住宅、戸建住宅等において、洗面台，流し台，浴室，トイレ，洗濯機等の給水器具へ給水，給湯配管の施工を行なう場合、建物の躯体工事の際に水用，湯用の各ヘッダーと給水器具との間で蛇腹状の鞘管をタコ足状に配設しておき、設備工事の際にこの鞘管内に水用，または湯用の通水管を挿通させ、ヘッダーと給水器具とを通水管により接続する配管工法が行われている。例えば、鞘管に通水管を挿通し、通水管を床下空間から床板の上部に立ち上げて床板の上部に配置された継手部材に接続し、この継手部材から給水器具へ水または湯を供給する構成のものがある。この配管工法では、通水管が挿通された鞘管を保持する配管固定具が用いられており、この配管固定具として公知のものに、特許文献１のものがある。
【０００３】
この特許文献１について簡単に説明すると、配管固定具は、止水栓等の流量調整機構を床板部の上方に固定するために床板部に取り付けられた固定部材と、下流側が継手部材に接続され樹脂パイプの接続部分を覆う中継管と、上流端が固定部材に接続され下流端が中継管の上流端に接続され樹脂パイプを覆う樹脂パイプ被覆用パイプとを有しており、中継管の内周面にＯリングが設けられ、固定部材の下部には鞘管ホルダーが螺着されている。そして中継管に設けられたＯリングは、止水栓と樹脂パイプとの接続部分から漏水が発生した場合に、水滴が床板部より上方に位置する樹脂パイプの外周面から床板部に下方に位置する鞘管の外周面に伝わることがないようにするとともに、樹脂パイプが振動等により動かないように支持するものである。また、鞘管ホルダーには複数の係止爪が形成され、この係止爪により蛇腹状の鞘管の上流側を保持するものである。
【特許文献１】特開２００３−１３４７３号
【発明の開示】
【発明が解決しようとする課題】
【０００４】
特許文献１において、中継管の内周面には、止水栓と樹脂パイプとの接続部分から漏水した場合に、床板部の下部に水滴が伝達するのを防止するとともに、樹脂パイプが動かないようにするためのＯリングが設けられている。また、鞘管は鞘管ホルダーに形成された係止爪によって保持される。このように特許文献１の配管固定具は、止水栓と樹脂パイプとの接続部分から発生した漏水の床下への伝達防止と鞘管の保持とは、異なる物品を使用する必要があり、部品点数が増加し、組立時の作業性が悪く、生産コストの上昇を招くものであった。
【０００５】
本発明は、このような従来の技術に存在する問題点に着目してなされたものであり、その目的は、床下空間から床板の貫通孔に挿通させて床板の上部に立ち上げた通水管が挿通された鞘管を保持する配管固定具において、鞘管の保持とシールとを少ない部品点数で確実に行い、作業性及び信頼性の高い配管固定具を提供することである。
【課題を解決するための手段】
【０００６】
上記目的を達成するために、請求項１に記載の発明は、床板に穿設された貫通孔に下部から挿通させて上部に立ち上げた鞘管は、外周面に凹部と凸部とが交互に形成された蛇腹状で、該鞘管を保持可能な配管固定具は、床板の貫通孔に固定され収容室が形成された固定部材と、該固定部材の収容室に収容され且つ通水管が挿通された前記鞘管を挿通する挿通孔が形成された支持部材と、該支持部材の上部又は下部に装着され鞘管を挿通する挿通孔が形成されたシール部材と、固定部材に装着され支持部材及びシール部材を収容室に固定するための保護部材とを有し、前記シール部材は鞘管の移動を止めたときに、鞘管の凹部に係止し、且つ密着するようにしたものである。
【０００７】
請求項２に記載の発明は、請求項１記載の配管固定具において、前記支持部材にはシール部材と向かい合う位置に逃がし部を形成したものである。
【発明の効果】
【０００８】
本発明の請求項１では、床板の貫通孔に挿通された鞘管の移動を止めると、配管固定具のシール部材が鞘管の凹部に係止し、且つ密着し、シール部材は鞘管の配管固定具への保持機能と、鞘管と配管固定具とのシール機能との２つの機能を備え、施工性及び信頼性が大幅に向上する。
【０００９】
請求項２の発明では、鞘管が配管固定具の挿通孔を挿通する際にシール部材は逃がし部に撓み、鞘管を配管固定具に対し円滑に挿通させることができる。
【発明を実施するための最良の形態】
【００１０】
以下、本発明の実施例を図に基づいて詳細に説明する。
【実施例１】
【００１１】
本発明において、配管固定具Ａは、住宅内で混合水栓等の給水器具が設けられている洗面台，流し台，浴室，トイレ等の近くに配置されるものであり、図１に示すように、床板１に穿設された貫通孔２から上部に立ち上がるように固定される。床板１の下部には、蛇腹状の鞘管３が図示しないヘッダーから貫通孔２の下部に向けて配設されており、該鞘管３及び鞘管３の内部に挿通された通水管４は、貫通孔２を挿通して床板１の上部に立ち上げられる。また、通水管４の先端には管継手等の継手部材（図示省略）が結合され、この継手部材を介して通水管４は給水器具に接続される。配管固定具Ａは床板１の貫通孔２周縁に固定され、床板１から立ち上がる鞘管３を保持するとともに、漏水等により鞘管３の外周を伝達してきた水滴の床下への落下を防止するものである。
【００１２】
前記通水管４は、ヘッダーから給水器具に対し水または湯を供給するものであり、容易に折曲することのできる合成樹脂製の架橋ポリエチレン管，ポリブテン管等で形成され、上流側の先端は床板１の下部に配置されたヘッダーに接続され、下流側の先端は管継手等の継手部材を介して前記給水器具に接続されるものである。この通水管４は、蛇腹状の鞘管３の挿通孔３ａに挿通させることで、鞘管３に被覆されて外部から保護されている。
【００１３】
前記配管固定具Ａは、図２及び図３に示すように、床板１に穿設された貫通孔２周縁に固定される固定部材１０と、該固定部材１０の内部に収容され鞘管３を常に中心に支持するための支持部材２０と、該支持部材２０の上部に装着されるシール部材３０と、固定部材１０に装着され支持部材２０及びシール部材３０の固定部材１０からの抜けを防止する保護部材４０とを有している。
【００１４】
前記固定部材１０は略円盤型で、床板１の上面に配設され、上下に貫通する第１挿通孔１３が設けられたフランジ部１１と、このフランジ部１１から下方へ突出し床板１の貫通孔２内に挿通される環状の下側突部１４と、フランジ部１１から上方へ突出し下側突部１４よりやや大径である環状の上側突部１５とが形成され、上側突部１５の外周には雄ねじ１６が形成されている。また固定部材１０には支持部材２０を収容するための収容室１７が形成されている。そして固定部材１０は、シール用のパッキン１８をフランジ部１１の下側に配置させた後に、下側突部１４を貫通孔２に挿入させた状態で、フランジ部１１に穿設された複数個（本実施例では３個）のビス孔１２に対し、床板１の上部からビス５をそれぞれ螺着することで床板１に固定される。
【００１５】
前記支持部材２０は合成樹脂製で、直径の異なる円筒体を結合した形状で、前記固定部材１０の収容室１７の内径と略同径の直径を有する円筒形状の小径部２２と、該小径部２２の上部に形成され小径部２２より大径の直径を有する大径部２４とから構成され、中心には上下に貫通する第２挿通孔２１が形成されている。前記小径部２２には、第２挿通孔２１に鞘管３が挿通された際に、鞘管３を常に第２挿通孔２１の中心に位置させるように、複数個の薄板状の支持具２３が内側に突出して形成されている。また、小径部２２の上面には環状の逃がし部２２ａが形成されている。この逃がし部２２ａは、鞘管３が第２挿通孔２１を通過する際にシール部材３０を撓ませるため、シール部材３０と向かい合う位置に形成されている。
【００１６】
前記シール部材３０は例えばゴム等の弾性体からなり、中心に第３挿通孔３１が設けられた薄板状に形成され、前記支持部材１０の上方に装着される。なお、本実施例ではシール部材は支持部材の上方に装着されているが、シール部材３０は支持部材の下方に装着してもよい。この場合、支持部材の底面に逃がし部を形成することで、シール部材を逃がし部に撓むようにするとよい。鞘管３は蛇腹状で、外周面の長手方向に沿って凹部３ｂと凸部３ｃとが交互に形成されており、シール部材３０の第３挿通孔３１に対し鞘管３が上方または下方に移動している状態では、図４に示すように、シール部材３０の内周面は凹部３ｂから凸部３ａを乗り越えていく。そして、鞘管３の移動を止めた状態では、図３に示すように、シール部材３０の内周面は凸部３ｃを乗り越え、凹部３ｂに対し弾力的に係合することで、鞘管３は配管固定具Ａから容易に抜け出ることがないように保持される。しかも、シール部材３０の内周面は鞘管３の凹部３ｂに対し押圧されることで水密的に密着し、例えば給水器具や通水管４の先端に接続された管継手等の継手部材において漏水が発生し、水滴が鞘管３の外周を伝達してシール部材３０に落下しても、水滴はシール部材３０で堰き止められ、シール部材３０より下部に落下することがなく、床板１の下部へ水が侵入しないようにしている。
【００１７】
前記保護部材４０は下部側の第１筒部４１と上部側の第２筒部４２とからなり、内部には上下に貫通する第４挿通孔４３が形成されている。また第１筒部４１の内周面には雌ねじ４５が形成され、該雌ねじ４５は前記固定部材１０の上側突部１５の外周面に形成された雄ねじ１６に螺合される。なお、この保護部材４０にはメッキや着色等の装飾が施されている。
【００１８】
以下に、鞘管３を床板１の下部から貫通孔２に挿通して、配管固定具Ａに保持させる手順について説明する。
まず、配管固定具Ａは固定部材１０の収容室１７に支持部材２０を収容し、この支持部材２０の上部にシール部材３０を装着する。この状態で、保護部材４０の雌ねじ４４を固定部材１０の雄ねじ１６に螺合して、支持部材２０及びシール部材３０を固定部材１０に固定し、配管固定具Ａを組み立てておく。
【００１９】
次に、パッキン１８を固定部材１０のフランジ部１１の下側に配置させた後、固定部材１０の下側突部１４を貫通孔２に挿入させた状態で、フランジ部１１の各ビス孔１２に対し、床板１の上部からビス５をそれぞれ螺着し、配管固定具Ａを床板１に固定する。
【００２０】
次に、床板１の下部から鞘管３を貫通孔２に挿通して、配管固定具Ａの各挿通孔１３，２１，３１，４３に鞘管３を挿通させる。鞘管３を上方または下方に移動させている場合には、図４に示すように、配管固定具Ａの内部に固定されたシール部材３０は、支部部材２０の逃がし部２２ａに撓みながら、その内周面が鞘管３の凹部３ｂから凸部３ｃを乗り越えていく。そして鞘管３の移動を止めると、図３に示すように、シール部材３０はその内周面が鞘管３の凹部３ｂに対し弾力的に係合することにより、鞘管３は配管固定具Ａから容易に抜け出ることがないように保持される。しかも、シール部材３０の内周面は鞘管３の凹部３ｂに対し押圧されることで水密的に密着されることにより、例えば給水器具や通水管４の先端に接続された管継手等の継手部材において漏水が発生し、水滴が鞘管３の外周を伝達してシール部材３０に落下しても、水滴はシール部材３０で堰き止められ、シール部材３０より下部に落下することがなく、床板１の下部へ水が侵入することがない。
【００２１】
そして、鞘管３の挿通孔３ａに挿通された通水管４を床板１の上部に立ち上げた後、この通水管４の先端に管継手等の継手部材を結合し、この継手部材を介して給水器具に接続する。
【００２２】
以上のように本発明の配管固定具は、床板の貫通孔に挿通された鞘管の移動を止めると、配管固定具のシール部材が鞘管の凹部に弾力的に係合するとともに、シール部材の内周面は鞘管の凹部に対し押圧されることで密着されることによって、鞘管の配管固定具への保持機能と、鞘管と配管固定具とのシール機能との２つの機能を備え、作業性及び信頼性が大幅に向上する。
【図面の簡単な説明】
【００２３】
【図１】本発明の配管固定具を床板に取り付けた状態を示す説明図である。
【図２】配管固定具の分解斜視図である。
【図３】配管固定具に対し、鞘管の移動を止めている状態を示す説明図である。
【図４】配管固定具に対し、鞘管を移動させている状態を示す説明図である。
【符号の説明】
【００２４】
１    ：床板
２    ：貫通孔
３    ：鞘管
３ｂ  ：凹部
３ｃ  ：凸部
１０  ：固定部材
２０  ：支持部材
２２ａ：逃がし部
２１  ：第２挿通孔
３０  ：シール部材
３１  ：第３挿通孔
４０  ：保護部材
Ａ    ：配管固定具
【図１】
2006307962.tif 000003
【図２】
2006307962.tif 000004
【図３】
2006307962.tif 000005
【図４】
2006307962.tif 000006